(57)【特許請求の範囲】
【請求項１】
いずれか一方の端部に第２のベルト（１０３）との接合のためのスライドファスナー（１０７）が形成され、他方の端部の片面に面ファスナーが形成された帯状体の第１のベルト（１０２）と、
いずれか一方の端部に前記第１のベルト（１０２）との接合のためのスライドファスナーが形成され、片面に面ファスナー（１０６）が形成された帯状体の第２のベルト（１０３）と、を備え、
前記第１のベルト（１０２）の両端部には締結手段（１０９、１１１）付きのシートベルト（１０８）を備え、
前記第１のベルト（１０２）と前記第２のベルト（１０３）が前記スライドファスナー（１０７）と前記面ファスナー（１０６）により締結された状態で、前記シートベルト（１０８）は、前記締結手段（１０９、１１１）で前記第１のベルト（１０２）の両端部を締結固定しつつ前記第２のベルト（１０３）の片面及び前記スライドファスナー（１０７）と重なり、
前記第１のベルト（１０２）と前記第２のベルト（１０３）とが前記スライドファスナー（１０７）により接合されて腰ベルト（１０１）を構成し、使用者の腰に前記面ファスナー（１０６）の貼合により着用された状態で前記締結手段（１０９、１１１）と前記スライドファスナー（１０７）の解錠により前記使用者の腰から前記腰ベルト（１０１）を無騒音で外すようになっていることを特徴とする無騒音着脱が可能な抱っこ紐ベルト。
【請求項２】
前記締結手段は、バックルであることを特徴とする請求項１に記載の無騒音着脱が可能な抱っこ紐ベルト。
【請求項３】
前記第１のベルト（１０２）には、乳幼児の尻部を支持するヒップシート（１０４）が更に設けられたことを特徴とする請求項１又は請求項２に記載の無騒音着脱が可能な抱っこ紐ベルト。
【請求項４】
前記第１のベルト（１０２）には、乳幼児の上体を支持する抱っこ紐（１１２）が更に設けられたことを特徴とする請求項１又は請求項２に記載の無騒音着脱が可能な抱っこ紐ベルト。
【発明の詳細な説明】
【技術分野】
【０００１】
本発明は、抱っこ紐（子守帯）ベルトに係り、特に、着脱に際して騒音が生じないように構成されることにより、腰ベルトの着脱に際してやっと眠りについた乳幼児が腰ベルトの着脱の際に生じる騒音に気づいて起きて泣き出してしまうことのないように構成された無騒音着脱が可能な抱っこ紐ベルトに関する。
【背景技術】
【０００２】
一般に、乳幼児を抱くときに両腕で乳幼児の体重を支えるが、このような姿勢は、両腕を自由に使うことができず、長時間に亘って乳幼児を抱けば、腕に無理な負担がかかってしまう。
【０００３】
このため、乳幼児を背負ったり（おんぶしたり）胸に抱いたり（抱っこしたり）できるようにねんねこ半纏を使用しているが、このようなねんねこ半纏は、乳幼児の体重が保護者の肩に集中してしまうため肩に無理な負担をかけていた。
【０００４】
最近には、乳幼児の体重が保護者の腰及び骨盤に分散されるように乳幼児を抱くことのできるヒップシート付き乳幼児用抱っこ紐が広く用いられている。
【０００５】
上述したような乳幼児用抱っこ紐は、乳幼児の体重を腰及び骨盤に分散させ、抱っこ紐を使用者の身体に固定するために図１に示す腰ベルト１０が備えられ、前記腰ベルトに乳幼児が着座可能なヒップシート１１が形成され、前記腰ベルト１０に着脱可能なように肩ベルト（図示せず）が備えられる。
【０００６】
従来の腰ベルト１０は、使用者の腰に締めたり、使用者の腰から外したりできるように腰ベルト１０の両端に面ファスナー１２を形成し、前記面ファスナー１２を用いて腰ベルト１０を使用者の腰に締めたり、使用者の腰から外したりしている。
【０００７】
ところが、前記抱っこ紐を用いて乳幼児を眠らせた後、やっと眠りについた乳幼児を寝具に寝かせるために腰ベルト１０を外す過程で面ファスナー１２ならではの大きな騒音が生じ、やっと眠りについた乳幼児がその騒音に気づいて起きて泣き出してしまうという問題が頻発している。
【発明の概要】
【発明が解決しようとする課題】
【０００８】
本発明は、上記事情に鑑みてなされたものであり、本発明の目的は、抱っこ紐の中でやっと眠りについた乳幼児を寝具に寝かせるために腰ベルトを外すときに面ファスナーならではの大きな騒音が生じないようにして、やっと眠りについた乳幼児がその騒音に気づいて起きて泣き出してしまうことのないように構成された抱っこ紐ベルトを提供することである。
【課題を解決するための手段】
【０００９】
上記の目的を達成するために、本発明による抱っこ紐ベルトは、いずれか一方の端部に第２のベルト（１０３）との接合のためのベルト接合手段が形成され、他方の端部の片面に面ファスナーが形成された帯状体の第１のベルト（１０２）と、いずれか一方の端部に前記第１のベルト（１０２）との接合のためのベルト接合手段が形成され、片面に面ファスナー（１０６）が形成された帯状体の第２のベルト（１０３）と、を備えることにより、第１のベルト（１０２）と第２のベルト（１０３）とがベルト接合手段により接合されて腰ベルト（１０１）が構成され、使用者の腰に面ファスナー（１０６）の貼合により着用された状態で面ファスナー（１０６）の剥離又はベルト接合手段の解錠を行って使用者の腰から腰ベルト（１０１）を外すようになっている。
【００１０】
このとき、前記ベルト接合手段は、スライドファスナー（滑り式留金具）（１０７）、スナップボタン（１１３）又はバックル（１１４）のうちのいずれか一つであってよい。
【００１１】
また、前記第１のベルト（１０２）の両端には締結手段付きシートベルト（１０８）が更に備えられることにより、使用者の腰に腰ベルト（１０１）が着用された状態で前記シートベルト（１０８）が締結手段で第１のベルト（１０２）の両端を締結固定することにより、スライドファスナー（１０７）が任意に開かないようになっていてもよい。
【００１２】
更に、前記締結手段は、バックルであってもよい。
【００１３】
更にまた、前記第１のベルト（１０２）には、乳幼児の尻部を支持するヒップシート（１０４）が更に設けられてもよい。
【００１４】
更にまた、前記第１のベルト（１０２）には、乳幼児の上体を支持する抱っこ紐（１１２）が更に設けられてもよい。
【発明の効果】
【００１５】
このような構成を有する本発明の抱っこ紐ベルトは、抱っこ紐を用いて乳幼児を眠らせた後、乳幼児を寝具に寝かせるために腰ベルトを外す際に面ファスナーならではの大きな騒音が生じないことから、やっと眠りについた乳幼児が面ファスナーの騒音に気づいて起きて泣き出してしまうことがなく、速やかに且つ手軽に腰ベルトを外すことができる。
【図面の簡単な説明】
【００１６】
【図１】従来の抱っこ紐ベルトを示す斜視図である。
【図２】本発明による抱っこ紐ベルトを展開して示す斜視図である。
【図３】本発明による抱っこ紐ベルトを外す過程を順次に示す斜視図である。
【図４】本発明による抱っこ紐ベルトを外す過程を順次に示す斜視図である。
【図５】本発明による抱っこ紐ベルトを外す過程を順次に示す斜視図である。
【図６】本発明による無騒音着脱が可能な抱っこ紐ベルトに抱っこ紐を係合した状態を示す斜視図である。
【図７】他の形態のベルト接合手段により構成された抱っこ紐ベルトを示す斜視図である。
【図８】他の形態のベルト接合手段により構成された抱っこ紐ベルトを示す斜視図である。
【発明を実施するための形態】
【００１７】
以下、本発明の好適な実施形態及び添付図面に基づいて、本発明による無騒音着脱が可能な抱っこ紐ベルトについて詳細に説明するが、図中の同じ参照符号は、同じ構成要素を指し示すことを前提として説明する。
【００１８】
発明の詳細な説明の欄又は特許請求の範囲において、ある構成要素が他の構成要素を「備える」としたとき、これは、特に断りのない限り、当該構成要素のみにより構成されることに限定されて解釈されず、他の構成要素を更に備え得ることを意味すると理解されるべきである。
【００１９】
本発明による無騒音着脱が可能な抱っこ紐ベルトは、図２に示すように、第１のベルト１０２及び第２のベルト１０３により構成され、前記第１のベルト１０２及び第２のベルトは、ベルト接合手段としてのスライドファスナー１０７を用いて接合する。
【００２０】
本発明による実施形態においては、前記第１のベルト１０２及び第２のベルト１０３を接合する接合手段としてスライドファスナー１０７を採用することを例にとって説明する。
【００２１】
通常のスライドファスナーは、一対のスライドファスナーレールと、滑動しながらスライドファスナーレールのエレメント（務歯）をかみ合わせたり離したりするスライダーと、により構成されるが、以下では、スライドファスナーレール及びスライダーの組み合わせ体を「スライドファスナー１０７」と通称して説明する。
【００２２】
前記第１のベルト１０２は、片面に乳幼児が着座可能なヒップシート１０４が形成され、一方の端部に面ファスナー１０６が形成され、他方の端部にスライドファスナー１０７が形成される。
【００２３】
前記ヒップシート１０４は、乳幼児が着座して乳幼児の重さを使用者の腰及び骨盤に分散させる役割を果たす。前記ヒップシート１０４の上部には、乳幼児が着座した状態で滑らないようにノンスリップパッド１０５を形成することが好ましい。
【００２４】
また、図２に示すように、第１のベルト１０２のヒップシート１０４が形成された面の両端部にそれぞれ長さが調節可能なシートベルト１０８を有する締付けバックル１０９と、固定バックル１１１と、が形成される。
【００２５】
このような構成を有する第１のベルト１０２と第２のベルト１０３とが接合されることにより、本発明の腰ベルト１０１が構成される。
【００２６】
前記第２のベルト１０３の片面には面ファスナー１０６が形成され、一方の端部にはスライドファスナー１０７が形成されることにより、第１のベルト１０２とスライドファスナー１０７により接合される。
【００２７】
前記第２のベルト１０３の面ファスナー１０６は、腰ベルト１０１を使用者の腰に巻回して着用したとき、第１のベルト１０２の面ファスナー１０６と係合されて腰ベルト１０１が使用者の腰に締められる。
【００２８】
このとき、前記第２のベルト１０３の厚さ及び幅を第１のベルト１０２の厚さ及び幅に等しくすることにより、第１のベルト１０２及び第２のベルト１０３をスライドファスナー１０７を用いて接合したときに一体感が得られるように構成することが好ましい。
【００２９】
上述したような構成を有する本発明の腰ベルト１０１は、図３に示すように、第１のベルト１０２と第２のベルト１０３とがスライドファスナー１０７により接合された状態で腰ベルト１０１を使用者の腰に巻回して第１のベルト１０２の面ファスナー１０６と第２のベルト１０３の面ファスナー１０６とが係合されながら腰ベルト１０１が使用者の腰に締められる。
【００３０】
また、図３に示すように、第１のベルト１０２の締付けバックル１０９を固定バックル１１１に嵌め込むことにより、第１のベルト１０２の両端をシートベルト１０８で継ぎ合わせる。
【００３１】
使用者が腰ベルト１０１を腰に着用した状態で乳幼児をヒップシート１０４に着座させれば、乳幼児の荷重によりスライドファスナー１０７が任意に開いて乳幼児が墜落する虞もあるが、上述したように、シートベルト１０８が第１のベルト１０２の両端を継ぎ合わせて固定することにより、たとえスライドファスナー１０７が任意に開いたとしても、腰ベルト１０１が使用者の腰から外されないので、乳幼児が墜落するといった安全事故が起きることを未然に防ぐことができる。
【００３２】
このような構成を有する本発明による腰ベルト１０１は、抱っこ紐の中で眠りについた乳幼児を寝具に寝かせるために腰ベルト１０１を外す際に騒音が生じないので、やっと眠りについた乳幼児がその騒音に気づいて起きて泣き出してしまうことがない。
【００３３】
使用者の腰に腰ベルト１０１が着用された状態で本発明の腰ベルト１０１を外す過程は、次の通りである。
【００３４】
まず、図４に示すように、締付けバックル１０９及び固定バックル１１１の嵌合を解除して第１のベルト１０２の両端を固定するシートベルト１０８を外す。
【００３５】
また、第１のベルト１０２及び第２のベルト１０３を固定する面ファスナー１０６を外すわけではなく、図５に示すように、第１のベルト１０２及び第２のベルト１０３を固定するスライドファスナー１０７を開けて第１のベルト１０２及び第２のベルト１０３間の接合を解除することにより、使用者の腰から手軽に腰ベルト１０１を外すことができる。
【００３６】
このとき、前記スライドファスナー１０７は、スライドファスナーのスライダーの引き手（つまみ）が折り畳まれた状態ではスライドファスナーレールに固定されて動かない「ロッキングスライドファスナー」を用いることが好ましい。前記「ロッキングスライドファスナー」は公知の技術であるため、これについての詳細な説明は省略する。
【００３７】
すなわち、腰ベルト１０１を使用者の腰から外すために面ファスナー１０６を剥離することなく手軽にスライドファスナー１０７を開ければ良いので、面ファスナー１０６を剥離する際に大きな騒音が生じないだけではなく、騒音の発生なしに速やかに腰ベルト１０１を使用者の腰から外すことができる。
【００３８】
また、シートベルト１０８で第１のベルト１０２の両端部を締結固定するので、スライドファスナー１０７が任意に開いて乳幼児が墜落するといった安全事故が起きることを未然に防ぐことができる。
【００３９】
上述した本発明は、使用者の腰に着用された腰ベルト１０１を外すときに、通常の腰ベルトの外し方と同様にして面ファスナー１０６を剥離して腰ベルト１０１を外してもよく、面ファスナー１０６が貼り合わせられた状態でスライドファスナー１０７を開けて騒音が生じないように腰ベルト１０１を外してもよい。
【００４０】
本発明の実施形態においては、スライドファスナー１０７が任意に開いてしまうことを防ぐために、第１のベルト１０２の両端部を継ぎ合わせるシートベルト１０８をバックルを用いて締結すると説明したが、スナップボタンなど種々の公知の締結手段を用いてもよく、これは、本発明の範囲に含まれるものと理解されるべきである。
【００４１】
また、上述した本発明の実施形態においては、第１のベルト１０２及び第２のベルト１０３を接合するベルト接合手段としてスライドファスナー１０７を採用する場合を例にとって説明したが、第１のベルト１０２及び第２のベルト１０３を接合するベルト接合手段として、図７に示すように、スナップボタン１１３を採用して第１のベルト１０２及び第２のベルト１０３を接合してもよく、図８に示すように、ベルト接合手段としてバックル１１４を採用して第１のベルト１０２及び第２のベルト１０３を接合してもよい。
【００４２】
更に、上述したシートベルト１０８の締結手段としてスナップボタンを採用してもよいが、スナップボタンは外力により任意に外れる虞があるため、本発明のように外力により外れないバックルを採用することが好ましい。
【００４３】
このような構成を有する本発明による抱っこ紐ベルトは、ヒップシート１０４を備えて腰ベルト１０１を単独で使用してもよく、図６に示すように、腰ベルト１０１に抱っこ紐１１２を係合して使用してもよい。
【００４４】
以上、上述した実施形態に基づいて本発明の技術的思想について説明した。
本発明が属する技術分野において通常の知識を有する者が本発明の記載事項から上述した実施形態を種々に変形したり変更したりできるということはいうまでもない。
【００４５】
また、たとえ明示的に図示又は説明されていないとしても、本発明が属する技術分野において通常の知識を有する者が本発明の記載事項から本発明による技術的思想を含む様々な形態の変形を加えることができるということはいうまでもなく、これは、依然として本発明の権利範囲に属する。
【００４６】
添付図面に基づいて説明された上記の実施形態は、単に本発明を説明するためのものに過ぎず、本発明の権利範囲はこれらの実施形態に何等制限されない。
【符号の説明】
【００４７】
１０１  ベルト
１０２  第１のベルト
１０３  第２のベルト
１０４  ヒップシート
１０５  ノンスリップパッド
１０６  面ファスナー
１０７  スライドファスナー
１０８  シートベルト
１０９  締付けバックル
１１１  固定バックル
１１２  抱っこ紐
１１３  スナップボタン
１１４  バックル
【図１】
0006617162.tif 000002
【図２】
0006617162.tif 000003
【図３】
0006617162.tif 000004
【図４】
0006617162.tif 000005
【図５】
0006617162.tif 000006
【図６】
0006617162.tif 000007
【図７】
0006617162.tif 000008
【図８】
0006617162.tif 000009